(57)【特許請求の範囲】
【請求項１】
ビーム制御部により画像データに応じて制御される光源から照射された光ビームに基づき感光体に結像させるビーム走査装置において、
前記装置の温度変化を検出するための温度センサと、
前記温度センサで検出された装置の温度変化に応じた副走査方向の位置ずれ量の推測値を補正量計算式を用いて演算するとともに、前記演算によって得られたずれ量の推測値に基づき前記ビーム制御部が制御する光源のビーム照射タイミングを補正するタイミング補正部と、
前記温度変化に応じたずれ量を実測するとともに、前記ずれ量の推測値が実測値と一致するように前記補正量計算式の係数を修正するタイミング修正部と、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするビーム走査装置。
【請求項２】
転写体の搬送方向に沿って配列された複数の感光体に、ビーム制御部により画像データに応じて制御される複数の光源から照射された各光ビームに基づき前記各感光体に各別に結像させるビーム走査装置において、
前記装置の温度変化を検出するための温度センサと、
前記温度センサで検出された装置の温度変化に応じた副走査方向の色ずれ量の推測値を補正量計算式を用いて演算するとともに、前記演算によって得られた色ずれ量の推測値に基づき前記ビーム制御部が制御する光源のビーム照射タイミングを補正するタイミング補正部と、
前記温度変化に応じた色ずれ量を実測するとともに、前記色ずれ量の推測値が実測値と一致するように前記補正量計算式の係数を修正するタイミング修正部と、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするビーム走査装置。
【請求項３】
請求項２記載のビーム走査装置であって、
前記タイミング補正部は、前記複数の光源のビーム照射タイミングの何れかを基準として他のビーム照射タイミングの補正を行う、
ことを特徴とするビーム走査装置。
【請求項４】
請求項１記載のビーム走査装置を備え、前記結像により潜像が形成された感光体に現像剤を供給して転写体に転写して画像を形成する画像形成装置であって、
前記タイミング補正部は、前記ビーム照射タイミングの補正によって副走査方向の位置ずれ量の補正を行い、
前記タイミング修正部は、前記ずれ量の推測値が前記転写体上のずれ量の実測値と一致するように前記補正量計算式の係数を修正する、
ことを特徴とする画像形成装置。
【請求項５】
請求項２記載のビーム走査装置を備え、前記結像により潜像が形成された各感光体にそれぞれ異なる色の現像剤を供給して前記転写体に順次転写して画像を形成するタンデム型の画像形成装置であって、
前記タイミング補正部は、前記ビーム照射タイミングの補正によって副走査方向の色ずれ量の補正を行い、
前記タイミング修正部は、前記色ずれ量の推測値が前記転写体上の色ずれ量の実測値と一致するように前記補正量計算式の係数を修正する、
ことを特徴とする画像形成装置。
【請求項６】
請求項５記載の画像形成装置であって、
前記タイミング修正部は、前記感光体により前記転写体上に形成した各色のパッチの色ずれ量を実測して前記転写体上の色ずれ量の実測値とする、
ことを特徴とする画像形成装置。
【請求項７】
転写体の搬送方向に沿って配列された複数の感光体に、ビーム制御部により画像データに応じて制御される複数の光源から照射された各光ビームに基づき前記各感光体に各別に結像させるビーム走査装置のビーム照射タイミングを補正するタイミング補正方法において、
前記装置の温度変化を検出する温度検出工程と、
前記温度検出工程で検出された装置の温度変化に応じた副走査方向の色ずれ量の推測値を補正量計算式を用いて演算するとともに、前記演算によって得られた色ずれ量の推測値に基づき前記ビーム制御部が制御する光源のビーム照射タイミングを補正するタイミング補正工程と、
前記温度変化に応じた色ずれ量を実測するとともに、前記色ずれ量の推測値が実測値と一致するように前記補正量計算式の係数を修正するタイミング修正工程と、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするタイミング補正方法。
【請求項８】
転写体の搬送方向に沿って配列された複数の感光体に、ビーム制御部により画像データに応じて制御される複数の光源から照射された各光ビームに基づき前記各感光体に各別に結像させるビーム走査装置を備え、
前記結像により潜像が形成された各感光体にそれぞれ異なる色の現像剤を供給して前記転写体に順次転写して画像を形成する画像形成装置のビーム照射タイミングを補正するタイミング補正方法において、
前記ビーム走査装置の温度変化を検出する温度検出工程と、
前記温度検出工程で検出された装置の温度変化に応じた副走査方向の色ずれ量の推測値を補正量計算式を用いて演算するとともに、前記演算によって得られた色ずれ量の推測値に基づき前記ビーム制御部が制御する光源のビーム照射タイミングを補正するタイミング補正工程と、
前記温度変化に応じた色ずれ量を実測するとともに、前記色ずれ量の推測値が実測値と一致するように前記補正量計算式の係数を修正するタイミング修正工程と、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするタイミング補正方法。
【請求項９】
転写体の搬送方向に沿って配列された複数の感光体に、ビーム制御部により画像データに応じて制御される複数の光源から照射された各光ビームに基づき前記各感光体に各別に結像させるビーム走査装置のビーム照射タイミングを補正するようにコンピュータを機能させるタイミング補正プログラムにおいて、
前記装置の温度変化を検出する温度検出ステップと、
前記温度検出工程で検出された装置の温度変化に応じた副走査方向の色ずれ量の推測値を補正量計算式を用いて演算するとともに、前記演算によって得られた色ずれ量の推測値に基づき前記ビーム制御部が制御する光源のビーム照射タイミングを補正するタイミング補正ステップと、
前記温度変化に応じた色ずれ量を実測するとともに、前記色ずれ量の推測値が実測値と一致するように前記補正量計算式の係数を修正するタイミング修正ステップと、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするタイミング補正プログラム。
【請求項１０】
転写体の搬送方向に沿って配列された複数の感光体に、ビーム制御部により画像データに応じて制御される複数の光源から照射された各光ビームに基づき前記各感光体に各別に結像させるビーム走査装置を備え、前記結像により潜像が形成された各感光体にそれぞれ異なる色の現像剤を供給して前記転写体に順次転写して画像を形成する画像形成装置のビーム照射タイミングを補正するようにコンピュータを機能させるタイミング補正プログラムにおいて、
前記ビーム走査装置の温度変化を検出する温度検出ステップと、
前記温度検出工程で検出された装置の温度変化に応じた副走査方向の色ずれ量の推測値を補正量計算式を用いて演算するとともに、前記演算によって得られた色ずれ量の推測値に基づき前記ビーム制御部が制御する光源のビーム照射タイミングを補正するタイミング補正ステップと、
前記温度変化に応じた色ずれ量を実測するとともに、前記色ずれ量の推測値が実測値と一致するように前記補正量計算式の係数を修正するタイミング修正ステップと、
を備え、
前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、
ことを特徴とするタイミング補正プログラム。
【発明の詳細な説明】
【技術分野】
【０００１】
本発明は、多色の複写機やレーザプリンタなどに用いられるビーム走査装置、多色の複写機やレーザプリンタなどの画像形成装置、タイミング補正方法、及びタイミング補正プログラムに関する。
【背景技術】
【０００２】
従来、タンデム型のフルカラー複写機等においては、シアン（Ｃ）、マゼンタ（Ｍ）、イエロー（Ｙ）、ブラック（Ｋ）の各色に対応して４つの感光体ドラムを転写ベルトの搬送面に沿って配列し、ビーム走査装置によって４本のレーザ・ビームを走査して各感光体ドラム周面に各色の静電潜像を形成すると共に、該当する色のトナーで顕像化し、これを転写ベルトによって記録シート上に順次転写してフルカラー画像を形成する。
【０００３】
このようなフルカラー複写機に使用されるビーム走査装置は、Ｃ、Ｍ、Ｙ、Ｋの各色に対応して設けられた４つのレーザ・ダイオードと、当該レーザ・ダイオードから発せられたレーザ・ビームを偏向して感光体ドラム表面を露光走査する光学系とから構成され、光学系は、ポリゴンミラー、走査レンズおよび折り返しミラーなどを備えている。
【０００４】
各レーザ・ダイオードは、入力された画像データに応じて駆動され、レーザ・ビームを照射する。このレーザ・ビームは、回転するポリゴン・ミラーの反射面で偏向された後、走査レンズやｆθレンズなどのレンズ系を経由して該当する感光体ドラムの表面を露光走査するようになっている。
【０００５】
かかる従来の装置において、熱定着機、ポリゴン・モータ、電気系等の各部の発熱により熱的変化が起こり、ポリゴン・ミラーと感光体ドラムとの間の光路が各色でずれ、走査速度、走査幅の変化となって色ずれを招くことがあった。
【０００６】
このような色ずれを補正する技術として、特許文献１に記載されたものがある。この技術は、温度データに対応するベルト周速度テーブルに基づいてベルト状感光体の周速度を制御し、或いは露光のタイミングを制御するものである。従って、温度変化によるタイミングのずれを実測することなく補正テーブルを用いた演算値に対して補正することができ、補正を簡易に行わせることができる。
【０００７】
しかし、かかる技術では、温度変化によって生じる実際の色ずれ量と補正テーブルによって導かれる補正値とにずれが生じた場合、正確に補正できないばかりか、色ずれを悪化させる原因となる恐れがある。
【０００８】
【特許文献１】特開平９−３１９１６５号公報
【発明の開示】
【発明が解決しようとする課題】
【０００９】
解決しようとする問題点は、温度変化によって生じるずれ量と補正テーブルによって導かれる補正値とにずれが生じた場合、正確に補正できないばかりか、ずれを悪化させる原因となる恐れがある点である。
【課題を解決するための手段】
【００１０】
本発明は、ずれ量の補正を簡易かつ正確に行わせるため、ビーム制御部により画像データに応じて制御される光源から照射された光ビームに基づき感光体に結像させるビーム走査装置において、前記装置の温度変化を検出するための温度センサと、前記温度センサで検出された装置の温度変化に応じた副走査方向の位置ずれ量の推測値を補正量計算式を用いて演算するとともに、前記演算によって得られたずれ量の推測値に基づき前記ビーム制御部が制御する光源のビーム照射タイミングを補正するタイミング補正部と、前記温度変化に応じたずれ量を実測するとともに、前記ずれ量の推測値が実測値と一致するように前記補正量計算式の係数を修正するタイミング修正部と、を備え、前記修正は、前記装置の温度が設定値を越えた回数ｎと、前記タイミング修正部が前記補正量計算式の係数を修正した回数ｉと、任意の初期設定数ｊとの関係が、ｎがｊのｉ階乗回目と等しくなるときのみに行われる、ことを最も主要な特徴とする。
【発明の効果】
【００１１】
本発明によれば、装置の温度変化に応じて演算された副走査方向の位置ずれ量の推測値に基づき光源のビーム照射タイミングを補正することでずれ量の簡易な補正が可能でありながら、温度変化によるずれ量の推測値が実測値と一致するように補正量計算式の係数を修正することが可能となり、ずれ量の正確な補正を行わせることができる。
【発明を実施するための最良の形態】
【００１２】
簡易で正確な補正を行わせるという目的を、タイミング修正部により実現した。
【実施例】
【００１３】
［画像形成装置］
図１は、本発明のビーム走査装置を備えた画像形成装置の実施例に係る概略図である。
【００１４】
図１のように、画像形成装置１は、ビーム走査装置３と感光体としての４個の感光体ドラム５、７，９，１１と転写体としての転写ベルト１３とを備えている。
【００１５】
画像形成装置１は、結像により潜像が形成された感光体ドラム５，７，９，１１にそれぞれ異なる色の現像剤を供給して転写ベルト１３に順次転写して画像を形成するタンデム型である。
【００１６】
ビーム走査装置３は、ポリゴン・ミラー１５、ｆθレンズ１７、折り返しミラー１９，２１，２３，２５等を備えている。ビーム走査装置３は、複数の光源として、シアン（Ｃ）、マゼンタ（Ｍ）、イエロー（Ｙ）、ブラック（Ｋ）の各色に対応して設けられた４つのレーザ・ダイオード（図示せず）を備え、各レーザ・ダイオードは、マイクロ・コンピュータ等により構成されたビーム制御部であるＬＤ制御部２７により、各色の画像データに応じて制御され、４本の光ビームが照射される。
【００１７】
照射された光ビームは、ポリゴン・ミラー１５、ｆθレンズ１７、折り返しミラー１９，２１，２３，２５等を含む走査光学系により偏向走査され、ビーム・スポットとして各感光体ドラム５、７，９，１１に結像され、静電潜像が形成される。
【００１８】
ビーム走査装置３には、装置の温度変化を検出するための温度センサ２９が設けられている。ビーム走査装置３の温度検出は、温度変化による色ずれを補正するために行われるものであり、この目的のために検出するものであれば、熱定着機、ポリゴン・モータ、電気系等、その検出箇所は任意である。
【００１９】
感光体ドラム５、７，９，１１は、転写ベルト１３の搬送方向に沿って配列され、搬送方向前方側からブラック（Ｋ）、シアン（Ｃ）、マゼンタ（Ｍ）、イエロー（Ｙ）の各色に対応して設けられている。
【００２０】
従って、ビーム走査装置３によって４本の光ビームを走査して各感光体ドラム５、７，９，１１周面に各色の静電潜像を形成すると共に、該当する色の現像剤であるトナーで顕像化し、これを転写ベルト１３によって搬送される記録シート上に順次転写してフルカラー画像を形成することができる。
【００２１】
画像形成装置１のビーム走査装置３は、さらにマイクロ・コンピュータ等により構成されたタイミング補正部３１及びタイミング修正部３３を備えている。
【００２２】
タイミング補正部３１は、ＬＤ制御部２７が制御するレーザ・ダイオードのビーム照射タイミングを、装置の温度変化に応じた副走査方向の色ずれ量の推測値に基づき補正する。色ずれ量の推測値は、本実施例において、次の補正量計算式により演算する。
【００２３】
例えば、感光体ドラム５に対する感光体ドラム１１での副走査方向の変化量は、
Ｐ_ｄ＝α×ｄＴ×ｄＬ_ｄ×β_ｄ      （１）
α：ビーム走査装置３の熱膨張係数
ｄＴ：ビーム走査装置３の温度変化量
ｄＬ_ｄ：折り返しミラー１９の反射点位置から折り返しミラー２５の反射点位置までの距離
β_ｄ：感光体ドラム１１に関する係数（初期状態は１）
となる。
【００２４】
同様にして、感光体ドラム５に対する感光体ドラム９，７での副走査方向の変化量Ｐ_ｃ、Ｐ_ｂも求められる。この場合、（１）式において、折り返しミラー１９の反射点位置から折り返しミラー２３，２１の反射点位置までの距離ｄＬ_ｃ，ｄＬ_ｂをｄＬ_ｄに代え、感光体ドラム１１に関する係数（初期状態は１）β_ｃ，β_ｂをβ_ｄに代える。
【００２５】
タイミング補正部３１は、複数の光源であるレーザ・ダイオードのビーム照射タイミングの何れかを基準として他のビーム照射タイミングの補正を行っている。具体的には、折り返しミラー１９の反射点位置を基準として折り返しミラー２５の反射点位置までの距離ｄＬ_ｄに基づき感光体ドラム１１での副走査方向の変化量Ｐ_ｄを算出する。この算出によりブラック（Ｋ）に対応するレーザ・ダイオードのビーム照射タイミングを基準とし、ブラック（Ｋ）のビーム照射タイミングは、補正しない。
【００２６】
タイミング修正部３３は、係数β修正部３５とパッチ検知センサ３７とを備えている。
【００２７】
係数β修正部３５は、前記タイミング補正部３１での補正量計算式に用いられる係数βを修正するために、ＬＤ制御部２７にパッチ形成の信号を出力し、ＬＤ制御部２７によるレーザ・ダイオードの制御で、前記の画像形成と同様に転写ベルト１３に各色のパッチを形成させる。
【００２８】
パッチ検知センサ３７は、転写ベルト１３上に形成されたパッチにより温度変化による色ずれを実測し、実測値を係数β修正部３５に入力する。
【００２９】
係数β修正部３５は、実測値により係数βを修正し、タイミング修正部３３にフィード・バックする。
【００３０】
タイミング修正部３３では、修正された係数βを用いた補正量計算式により温度変化に応じた色ずれ量の推測値が演算され、この推測値に基づきＬＤ制御部２７によるレーザ・ダイオードのビーム照射タイミングが制御されることになる。
【００３１】
タイミング修正部３３での修正は、装置３の温度が設定値を越えた回数ｎと、前記タイミング修正部３３が補正量計算式の係数を修正した回数ｉと、始めに設定する任意の初期設定数ｊと、の関係が、ｎがｊのｉ階乗回目と等しくなるときのみに前記修正を行う。すなわち、「ｎ＝ｊ＊ｅｘｐ（ｉ）」の式が成立するときのみタイミング修正部３３での修正が行われる。
［ビーム照射タイミングの補正及び補正の修正］
図２は、ビーム照射タイミングの補正及び補正量計算式の係数の修正を行わせるためのフローチャートである。
【００３２】
本実施例では、ＬＤ制御部２７（図１）が制御するレーザ・ダイオードのビーム照射タイミングを、前記ビーム走査装置３（図１）の温度変化Ｔに応じた色ずれ量の推測値Ｐ_ｄ，Ｐ_ｃ，Ｐ_ｂに基づき補正し色ずれ補正を行う図２のタイミング補正ステップＳ１，Ｓ２，Ｓ３，Ｓ５と、転写ベルト１３（図１）上の温度変化に応じた色ずれ量を実測するとともに、色ずれ量の推測値が実測値と一致するように補正量計算式の係数を修正する図２のタイミング修正ステップＳ６，Ｓ７，Ｓ８，Ｓ９，Ｓ１０とを備えてコンピュータを機能させている。
【００３３】
図２のフローチャートは、画像形成装置１の電源投入等によりスタートし、各値の初期設定が行われステップＳ１が実行される。初期設定では、例えば、ｊ＝３、ｎ＝０、ｉ＝０が設定される。この初期設定は、外部からのコントロールによりリセット設定することも可能である。
【００３４】
なお、本実施例では、図１において折り返しミラー１９，２１，２３，２５間が、それぞれ１００ｍｍであり、ｄＬ_ｂ＝１００ｍｍ、ｄＬ_ｃ＝２００ｍｍ、ｄＬ_ｄ＝３００ｍｍとしている。熱線膨張係数は、α＝０．００００２８６ｍｍ／ｍｍ℃である。
【００３５】
ステップＳ１では、「温度変化の読み込み」の処理が実行される。この処理では、温度センサ２９により検出されたビーム走査装置３の装置内部温度が読み込まれ、ステップＳ２へ移行する。
【００３６】
ステップＳ２では、「Ｔ℃以上の変化ありか？」の判断処理が実行される。この処理において、設定された変化温度は、Ｔ＝５℃である。この設定は、温度変化による色ずれ量を４０μｍ以下に抑えるためであり、最大値である感光ドラム５に対する感光ドラム１１での位置ずれを４０μｍ以下とするための値である。
【００３７】
ステップＳ２において、Ｔ℃以上の変化ありと判断されたとき（ＹＥＳ）、色ずれの補正が必要であり、ｎ＝１とされてステップＳ３へ移行し、Ｔ℃以上の変化なしと判断されたとき（ＮＯ）、色ずれの補正は必要ないため、ｎ＝０のまま処理はリターンする。
【００３８】
ステップＳ３では、「副走査方向位置ずれ量を式より演算する」の処理が実行される。この処理では、補正量計算式（１）により、変化量Ｐ_ｄ，Ｐ_ｃ，Ｐ_ｂが演算され、転写ベルト１３上での色ずれ量の推測値が演算されてステップＳ４へ移行する。
【００３９】
ステップＳ４では、「ｎ＝ｊ＊ｅｘｐ（ｉ）」の判断処理が実行される。この処理では、ｎ＝１、ｊ＝３、ｉ＝０であるから、ｎ（１）＝ｊ（３）のｉ（０）乗＝１が成立し、ステップＳ６へ移行する。
【００４０】
ステップＳ６では、「パッチを形成させる」の処理が実行される。この処理では、係数β修正部３５からＬＤ制御部２７に信号が出力され、ＬＤ制御部２７が各レーザ・ダイオードを制御し、各感光体ドラム５，７，９，１１にライン潜像を形成させ、現像ユニットから各感光ドラム５，７，９，１１に対応する色のトナーが供給されてトナー像が顕在化する。顕在化したトナー像は、転写ベルト１３上に転写されてパッチが形成され、ステップＳ７へ移行する。
【００４１】
ステップＳ７では、「パッチを読み取る」の処理が実行される。この処理では、パッチ検知センサ３７で検出された各パッチのデータが読み込まれ、ステップＳ８へ移行する。
【００４２】
ステップＳ８では、「転写ベルト上の色ずれ量γを実測する」の処理が実行される。この処理では、パッチ検知センサ３７で検出され係数β修正部３５で読み込まれたパッチのデータから転写ベルト上の色ずれ量γが演算され、ステップＳ９へ移行する。
【００４３】
例えば、感光体ドラム５，１１間の実測値である測定パッチずれ量が５０μｍであるとき、β_ｄは、０．１１７（β_ｄ＝５０／α×ｄＴ×ｄＬ_ｄ）となる。β_ｃ，β_ｂについても同様に算出され、ステップＳ１０へ移行する。
【００４４】
ステップＳ１０では、「ずれ量γに基づきＬＤに送るデータタイミングを制御する」の処理が実行される。この処理では、係数β修正部３５からの出力によりタイミング補正部３１で用いる前記（１）補正量計算式のβ_ｄ，β_ｃ，β_ｂが置き換え修正される。タイミング補正部３１では、ＬＤ制御部２７が制御するレーザ・ダイオードのビーム照射タイミングを、ステップＳ８で得られた色ずれ量γに基づき補正し、ステップＳ１１へ移行する。
【００４５】
ステップＳ１１では、「ｉ＋１」の処理が実行され、補正量計算式の係数の修正回数のカウント値「ｉ」を１だけインクリメントし、ステップＳ１へリターンする。
【００４６】
再びステップＳ１、Ｓ２と移行し、温度変化がＴ＝５ｄ℃以上であるとき、ステップＳ３へ移行し、（１）補正量計算式によりずれ量の推測値Ｐ_ｄ，Ｐ_ｃ，Ｐ_ｂが算出される。このとき（１）補正量計算式で用いる係数β_ｄ，β_ｃ，β_ｂは、前記修正後の係数が用いられる。
【００４７】
ステップＳ４では、ｎ＝２であり、ｊ＝３のｉ＝１乗（＝３）とは等しくないから、ステップＳ６へ移行せず、ステップＳ５へ移行する。
【００４８】
ステップＳ５では、ステップＳ１０と同様に処理される。すなわち、タイミング補正部３１では、ＬＤ制御部２７がレーザ・ダイオードのビーム照射タイミングを、装置の温度変化Ｔに応じたずれ量の推測値Ｐ_ｄ，Ｐ_ｃ，Ｐ_ｂに基づき補正しつつ制御し、リターンする。
【００４９】
以下、同様にステップが繰り返され、ステップＳ１〜Ｓ５の処理により、タイミング補正部３１は、ＬＤ制御部２７が制御するレーザ・ダイオードのビーム照射タイミングを、装置の温度変化Ｔに応じたずれ量の推測値Ｐ_ｄ，Ｐ_ｃ，Ｐ_ｂに基づき補正する。
【００５０】
タイミング修正部３３は、ステップＳ４において「ｎ＝ｊ＊ｅｘｐ（ｉ）」が成立したときのみ、温度変化Ｔに応じたずれ量の推測値が実測値と一致するように（１）補正量計算式の係数を修正する。
【００５１】
ステップＳ４での「ｎ＝ｊ＊ｅｘｐ（ｉ）」の成立は、ｎが増加するとその割合が少なくなる。
［実施例の効果］
本発明実施例は、装置３の温度変化を検出するための温度センサ２９と、温度センサ２９で検出された装置３の温度変化Ｔに応じた副走査方向の位置ずれ量の推測値Ｐ_ｄ，Ｐ_ｃ，Ｐ_ｂを補正量計算式（１）を用いて演算するとともに、同演算によって得られたずれ量の推測値Ｐ_ｄ，Ｐ_ｃ，Ｐ_ｂに基づきＬＤ制御部２７が制御するレーザ・ダイオードのビーム照射タイミングを補正するタイミング補正部３１と、温度変化Ｔに応じたずれ量を実測するとともに、ずれ量の推測値が実測値と一致するように補正量計算式（１）の係数を修正するタイミング修正部３３と、を備えたため、ずれ量の推測値Ｐ_ｄ，Ｐ_ｃ，Ｐ_ｂに基づきレーザ・ダイオードのビーム照射タイミングを補正することでずれ量の簡易な補正が可能でありながら、温度変化Ｔによるずれ量の推測値が実測値と一致するように補正量計算式（１）の係数を修正することが可能となり、ずれ量の正確な補正を行わせることができる。
【００５２】
タイミング補正部３１は、ずれ量の推測値Ｐ_ｄ，Ｐ_ｃ，Ｐ_ｂを補正量計算式（１）により演算するため、ずれ量を簡易に求めて、ビーム照射タイミングを補正することができる。
【００５３】
タイミング修正部３３は、装置３の温度検出回数ｎと、前記タイミング修正部３３が前記修正した回数ｉと、始めに設定する任意の初期設定数ｊとの関係が、ｎがｊのｉ階乗回目と等しくなるときのみに前記修正を行うため、ｎの増加とともに修正の回数を減らすことができ、補正のための動作時間の大幅な短縮を図ることができる。
【００５４】
タイミング補正部３１は、複数のレーザ・ダイオードのビーム照射タイミングの何れかを基準として他のビーム照射タイミングの補正を行うため、基準となるレーザ・ダイオードのビーム照射タイミングを補正する必要がなく、補正時間の短縮を図ることができる。
【００５５】
タイミング修正部３３は、感光体ドラム５、７，９，１１により転写ベルト１３上に形成した各色のパッチの色ずれ量を実測して前記転写ベルト１３上の色ずれ量の実測値とするため、色ずれを正確に検知し、温度変化Ｔに応じたずれ量の推測値が実測値と一致するように（１）補正量計算式の係数の修正を正確に行わせることができる。
［その他］
本発明は、カラータンデム型の画像形成装置に限らず、単色の画像形成装置にも適用することができる。製版用等の正確さを要求されるレーザ・プリンタでは、書き出し位置の正確さが要求され、かかる場合にも適している。
【００５６】
タイミング修正部３１は、装置３の温度が一定以上に急変したとき、或いは一定回数又は任意回数毎に前記修正を行うことができる。
【００５７】
タイミング補正部３１及びタイミング修正部３３を画像形成装置１とは別に設け、必要に応じてタイミング補正、（１）補正量計算式の係数の修正を行わせる構成にすることもできる。
【００５８】
感光体は、ベルト式のものを用いることもできる。
【図面の簡単な説明】
【００５９】
【図１】画像読取装置の概略図である（実施例）。
【図２】ビーム照射タイミングの補正及び補正量計算式の係数の修正を行わせるためのフローチャートである（実施例）。
【符号の説明】
【００６０】
１  画像形成装置
３  ビーム走査装置（装置）
５，７，９，１１  感光体ドラム（感光体）
１３  転写ベルト（転写体）
２７  ＬＤ制御部（ビーム制御部）
２９  温度センサ
３１  タイミング補正部
３３  タイミング修正部
３５  係数β修正部（タイミング修正部）
３７  パッチ検知センサ（タイミング修正部）
【図１】
0004597062.tif 000002
【図２】
0004597062.tif 000003